(57)【要約】【課題】共有画面を有している第１の端末上でアイコンが提示され、そのアイコンに貼り付けられているコンテンツが開かれた場合は、ユーザーの第２の端末上でも、コンテンツへのアクセスが可能となるように制御できる情報処理装置を提供する。【解決手段】情報処理装置のアクセス制御手段は、第１の端末上で、コンテンツを格納するアイコンが提示され、該コンテンツが開かれた場合に、第２の端末上で、該コンテンツへのアクセスを可能にする制御を行う。【選択図】図１
2019061365.tif 000002
【特許請求の範囲】
【請求項１】
第１の端末上で、コンテンツを格納するアイコンが提示され、該コンテンツが開かれた場合、第２の端末上で、該コンテンツへのアクセスを可能にする制御を行うアクセス制御手段
を有する情報処理装置。
【請求項２】
前記アクセス制御手段は、前記第１の端末上で前記アイコンが提示されたが、前記コンテンツが開かれていない場合、前記第２の端末上で、該コンテンツへのアクセスを許さないように制御する、
請求項１に記載の情報処理装置。
【請求項３】
前記第２の端末上で、前記コンテンツへのアクセスが許されていない状態であっても、該第２の端末上では、該コンテンツの縮小画像を提示する、
請求項２に記載の情報処理装置。
【請求項４】
前記第１の端末のユーザーの操作にしたがって、前記コンテンツへのアクセス権を設定する設定手段
をさらに有する請求項１に記載の情報処理装置。
【請求項５】
前記設定手段によるアクセス権の設定は、前記コンテンツが開かれた後に有効にする、
請求項４に記載の情報処理装置。
【請求項６】
前記設定手段によるアクセス権の設定は、前記アイコンを提示する前にも設定可能である、
請求項４に記載の情報処理装置。
【請求項７】
前記アクセス権として、サムネイル画像表示、閲覧、投稿又は編集、のいずれか１つ以上を設定可能である、
請求項４に記載の情報処理装置。
【請求項８】
前記アイコンにアクセスするためのコードを発行する発行手段と、
前記ユーザーに対して前記コードを提示する提示手段と、
前記ユーザーから前記コードを受け付けたことを条件として、前記第２の端末に対して前記アイコンを提示する第２の提示手段
をさらに有する請求項１に記載の情報処理装置。
【請求項９】
前記コードは、一時的に前記アイコンにアクセスするためのコードである、
請求項８に記載の情報処理装置。
【請求項１０】
前記第１の端末で、前記コードが無効となった場合、第２の端末に対するアイコン及びコンテンツへのアクセス権を無効にする、
請求項９に記載の情報処理装置。
【請求項１１】
前記第１の端末で、前記コードが発行された前記アイコンとは別のアイコンにあるコンテンツを開いた場合は、前記コードが該親アイコンに対して有効であっても、前記第２の端末から該親アイコンにアクセスできないように制御する、
請求項８に記載の情報処理装置。
【請求項１２】
前記第１の端末で、前記アイコンに、該アイコン上にはない他のコンテンツを複写した場合は、前記コードが有効である場合は、前記第２の端末から該他のコンテンツにアクセスできるように制御する、
請求項８に記載の情報処理装置。
【請求項１３】
コンピュータを、
第１の端末上で、コンテンツを格納するアイコンが提示され、該コンテンツが開かれた場合、第２の端末上で、該コンテンツへのアクセスを可能にする制御を行うアクセス制御手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、会議に用いられる第１の端末装置からアクセスがあった情報に対して、その第１の端末装置とは異なる第２の端末装置であってもアクセスすることができるようにした情報処理装置を提供することを課題とし、情報処理装置の生成手段は、会議に用いられる第１の端末装置からの要求に応じて、権限情報を生成し、第１の送信手段は、前記生成手段によって生成された権限情報を前記第１の端末装置に送信し、第２の送信手段は、前記第１の端末装置とは異なる第２の端末装置から前記権限情報を受信した場合は、前記第１の端末装置からアクセスがあった情報に対して、該第２の端末装置からアクセスがあったときは、該情報を該第２の端末装置に送信することが開示されている。
【先行技術文献】
【特許文献】
【０００３】
【特許文献１】特開２０１６−１１５１０４号公報
【発明の概要】
【発明が解決しようとする課題】
【０００４】
例えば、複数人による会合において、台紙に付箋と子台紙を貼り付ける作業が行われている。このような作業において、参加者の端末で子台紙へのアクセスを制御したい場合がある。例えば、共有画面で子台紙を開くことが行われていないにもかかわらず、参加者の端末で子台紙にアクセスされることを回避したい場合がある。
本発明は、共有画面を有している第１の端末上でアイコンが提示され、そのアイコンに貼り付けられているコンテンツが開かれた場合は、ユーザーの第２の端末上でも、コンテンツへのアクセスが可能となるように制御できる情報処理装置及び情報処理プログラムを提供することを目的としている。
【課題を解決するための手段】
【０００５】
かかる目的を達成するための本発明の要旨とするところは、次の各項の発明に存する。
請求項１の発明は、第１の端末上で、コンテンツを格納するアイコンが提示され、該コンテンツが開かれた場合、第２の端末上で、該コンテンツへのアクセスを可能にする制御を行うアクセス制御手段を有する情報処理装置である。
【０００６】
請求項２の発明は、前記アクセス制御手段は、前記第１の端末上で前記アイコンが提示されたが、前記コンテンツが開かれていない場合、前記第２の端末上で、該コンテンツへのアクセスを許さないように制御する、請求項１に記載の情報処理装置である。
【０００７】
請求項３の発明は、前記第２の端末上で、前記コンテンツへのアクセスが許されていない状態であっても、該第２の端末上では、該コンテンツの縮小画像を提示する、請求項２に記載の情報処理装置である。
【０００８】
請求項４の発明は、前記第１の端末のユーザーの操作にしたがって、前記コンテンツへのアクセス権を設定する設定手段をさらに有する請求項１に記載の情報処理装置である。
【０００９】
請求項５の発明は、前記設定手段によるアクセス権の設定は、前記コンテンツが開かれた後に有効にする、請求項４に記載の情報処理装置である。
【００１０】
請求項６の発明は、前記設定手段によるアクセス権の設定は、前記アイコンを提示する前にも設定可能である、請求項４に記載の情報処理装置である。
【００１１】
請求項７の発明は、前記アクセス権として、サムネイル画像表示、閲覧、投稿又は編集、のいずれか１つ以上を設定可能である、請求項４に記載の情報処理装置である。
【００１２】
請求項８の発明は、前記アイコンにアクセスするためのコードを発行する発行手段と、前記ユーザーに対して前記コードを提示する提示手段と、前記ユーザーから前記コードを受け付けたことを条件として、前記第２の端末に対して前記アイコンを提示する第２の提示手段をさらに有する請求項１に記載の情報処理装置である。
【００１３】
請求項９の発明は、前記コードは、一時的に前記アイコンにアクセスするためのコードである、請求項８に記載の情報処理装置である。
【００１４】
請求項１０の発明は、前記第１の端末で、前記コードが無効となった場合、第２の端末に対するアイコン及びコンテンツへのアクセス権を無効にする、請求項９に記載の情報処理装置である。
【００１５】
請求項１１の発明は、前記第１の端末で、前記コードが発行された前記アイコンとは別のアイコンにあるコンテンツを開いた場合は、前記コードが該親アイコンに対して有効であっても、前記第２の端末から該親アイコンにアクセスできないように制御する、請求項８に記載の情報処理装置である。
【００１６】
請求項１２の発明は、前記第１の端末で、前記アイコンに、該アイコン上にはない他のコンテンツを複写した場合は、前記コードが有効である場合は、前記第２の端末から該他のコンテンツにアクセスできるように制御する、請求項８に記載の情報処理装置である。
【００１７】
請求項１３の発明は、コンピュータを、第１の端末上で、コンテンツを格納するアイコンが提示され、該コンテンツが開かれた場合、第２の端末上で、該コンテンツへのアクセスを可能にする制御を行うアクセス制御手段として機能させるための情報処理プログラムである。
【発明の効果】
【００１８】
請求項１の情報処理装置によれば、共有画面を有している第１の端末上でアイコンが提示され、そのアイコンに貼り付けられているコンテンツが開かれた場合は、ユーザーの第２の端末上でも、コンテンツへのアクセスが可能となるように制御できる。
【００１９】
請求項２の情報処理装置によれば、第１の端末上でアイコンが提示されたが、コンテンツが開かれていない場合、第２の端末上で、そのコンテンツへのアクセスを許さないように制御することができる。
【００２０】
請求項３の情報処理装置によれば、第２の端末上で、コンテンツへのアクセスが許されていない状態であっても、その第２の端末上では、そのコンテンツの縮小画像を提示することができる。
【００２１】
請求項４の情報処理装置によれば、第１の端末のユーザーの操作にしたがって、コンテンツへのアクセス権を設定することができる。
【００２２】
請求項５の情報処理装置によれば、アクセス権の設定を、コンテンツが開かれた後に有効とすることができる。
【００２３】
請求項６の情報処理装置によれば、アクセス権の設定を、アイコンを提示する前にも設定可能とすることができる。
【００２４】
請求項７の情報処理装置によれば、アクセス権として、サムネイル画像表示、閲覧、投稿又は編集、のいずれか１つ以上を設定可能である。
【００２５】
請求項８の情報処理装置によれば、ユーザーからコードを受け付けたことを条件として、第２の端末に対してアイコンを提示することができる。
【００２６】
請求項９の情報処理装置によれば、コードを、一時的にアイコンにアクセスするためのコードとすることができる。
【００２７】
請求項１０の情報処理装置によれば、第１の端末で、コードが無効となった場合、第２の端末に対するアイコン及びコンテンツへのアクセス権を無効にすることができる。
【００２８】
請求項１１の情報処理装置によれば、第１の端末で、コードが発行されたアイコンとは別のアイコンにあるコンテンツを開いた場合は、コードがその親アイコンに対して有効であっても、第２の端末からその親アイコンにアクセスできないように制御することができる。
【００２９】
請求項１２の情報処理装置によれば、第１の端末で、アイコンに、そのアイコン上にはない他のコンテンツを複写した場合は、コードが有効である場合は、第２の端末からその「他のコンテンツ」にアクセスできるように制御することができる。
【００３０】
請求項１３の情報処理プログラムによれば、共有画面を有している第１の端末上でアイコンが提示され、そのアイコンに貼り付けられているコンテンツが開かれた場合は、ユーザーの第２の端末上でも、コンテンツへのアクセスが可能となるように制御できる。
【図面の簡単な説明】
【００３１】
【図１】本実施の形態の構成例についての概念的なモジュール構成図である。
【図２】本実施の形態を利用したシステム構成例を示す説明図である。
【図３】本実施の形態が使用される会議室等における、電子付箋端末、電子付箋制御装置の使用例を示す説明図である。
【図４】本実施の形態による処理例を示す説明図である。
【図５】本実施の形態による処理例を示す説明図である。
【図６】本実施の形態によって処理対象となるデータ群の例を示す説明図である。
【図７】本実施の形態による処理例を示す説明図である。
【図８】本実施の形態による処理例を示す説明図である。
【図９】台紙情報テーブルのデータ構造例を示す説明図である。
【図１０】付箋情報テーブルのデータ構造例を示す説明図である。
【図１１】台紙ＩＤ・ＰＩＮ−ＣＯＤＥ対応テーブルのデータ構造例を示す説明図である。
【図１２】ＰＩＮ−ＣＯＤＥ・端末ＩＤ対応テーブルのデータ構造例を示す説明図である。
【図１３】ＰＩＮ−ＣＯＤＥ・アクセス可能子台紙ＩＤ対応テーブルのデータ構造例を示す説明図である。
【図１４】アクセス権テーブルのデータ構造例を示す説明図である。
【図１５】本実施の形態による処理例を示すフローチャートである。
【図１６】本実施の形態による処理例を示すフローチャートである。
【図１７】本実施の形態による処理例を示すフローチャートである。
【図１８】本実施の形態による処理例を示すフローチャートである。
【図１９】本実施の形態によって処理対象となるデータ群の例を示す説明図である。
【図２０】本実施の形態による処理例を示す説明図である。
【図２１】本実施の形態による処理例を示す説明図である。
【図２２】本実施の形態による処理例を示す説明図である。
【図２３】本実施の形態を実現するコンピュータのハードウェア構成例を示すブロック図である。
【発明を実施するための形態】
【００３２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３３】
本実施の形態である電子付箋制御装置１００（情報処理装置の一例）は、複数人によって用いられる可能性があるアイコン、コンテンツのアクセス制御を行うものであって、図１の例に示すように、制御処理モジュール１０５、台紙情報記憶モジュール１３５、付箋情報記憶モジュール１４０、共有画面提示モジュール１４５、通信モジュール１５０を有している。アイコンとして、例えば、台紙、フォルダ、アプリケーションを示すマーク等がある。コンテンツとは、アイコンの子としての関係を有しており、例えば、アイコンが台紙である場合は、コンテンツは、その台紙に貼り付けることができる子台紙等が該当し、アイコンがフォルダである場合は、コンテンツは、そのフォルダ内に入れることができる子フォルダ、文書のファイル等が該当し、アイコンがアプリケーションを示すマークである場合は、コンテンツは、そのアプリケーションのマークに対応するアプリケーション（ソフトウェア自体）等が該当する。
【００３４】
制御処理モジュール１０５は、アクセス制御処理モジュール１１０、操作処理モジュール１２５、制御モジュール１３０を有しており、台紙情報記憶モジュール１３５、付箋情報記憶モジュール１４０、共有画面提示モジュール１４５、通信モジュール１５０と接続されている。制御処理モジュール１０５は、アイコン、コンテンツのアクセス制御を行う。
アクセス制御処理モジュール１１０は、コード発行モジュール１１５、アクセス制御モジュール１２０を有している。アクセス制御処理モジュール１１０は、電子付箋制御装置１００が制御可能な共有画面に表示され得るアイコン、コンテンツのアクセス制御を行う。ここで、共有画面とは、複数人のユーザーが見ることが可能な画面（一般的には大型画面）であって、例えば、液晶ディスプレイ等の表示装置が該当する。なお、第１の端末は、この共有画面を有しており、電子付箋制御装置１００を有していてもよい。そして、第２の端末は、ユーザーによって操作されるものであって、第１の端末と通信回線を介して接続されている。
コード発行モジュール１１５は、アイコンにアクセスするためのコードを発行する。このコードは、一時的にアイコンにアクセスするためのコードである。例えば、ＰＩＮ−ＣＯＤＥともいわれ、そのＰＩＮ−ＣＯＤＥを受け付けたことを条件として、アイコンへのアクセスが許される。ここでの一時的とは、アイコンが開かれた後、そのアイコンを閉じるまでの間である。また、ここでのコードは、そのアイコン（例えば、台紙）以外に、コンテンツ（例えば、その台紙に貼り付けられている付箋）にアクセスするためのコードであってもよい。
そして、コード発行モジュール１１５は、ユーザーに対してコードを提示する。具体的には、共有画面にコード発行モジュール１１５が生成したＰＩＮ−ＣＯＤＥを表示する。
そして、コード発行モジュール１１５は、ユーザーからコードを受け付けたことを条件として、第２の端末に対してアイコンを提示するように制御する。
また、コード発行モジュール１１５は、第１の端末で、コードが無効となった場合、第２の端末に対するアイコン及びコンテンツへのアクセス権を無効にするようにしてもよい。
また、コード発行モジュール１１５は、第１の端末で、コンテンツが閉じられた場合は、そのコンテンツに対応するアクセス権を無効としてもよい。
なお、アクセス権として、サムネイル画像表示、閲覧、投稿又は編集、のいずれか１つ以上を設定可能である（図２０を用いて後述する）。
【００３５】
アクセス制御モジュール１２０は、予め定めた時間範囲内で、第１の端末上で、コンテンツを格納するアイコンが提示され、そのコンテンツが開かれた場合、第２の端末上で、そのコンテンツへのアクセスを可能にする制御を行う。
また、アクセス制御モジュール１２０は、第１の端末上でアイコンが提示されたが、コンテンツが開かれていない場合、第２の端末上で、そのコンテンツへのアクセスを許さないように制御するようにしてもよい。
また、アクセス制御モジュール１２０は、第１の端末のユーザーの操作にしたがって、コンテンツへのアクセス権を設定するようにしてもよい。この場合の設定は、コンテンツが開かれた後に有効にする。そして、この場合の設定は、コンテンツが開かれる前では無効とする。つまり、コンテンツが開かれることを契機として、コンテンツのアクセス権設定が有効になる。これによって、第１の端末でコンテンツが開かれるまでは、たとえ、閲覧可能等のアクセス権が設定されていたとしても第２の端末では、アクセスすることができないことになる。具体的には、ファシリテーターがコンテンツを開かなければ、参加者はそのコンテンツにアクセスすることができないように制御している。
また、アクセス制御モジュール１２０によるアクセス権の設定は、アイコンを提示する前にも設定可能である。
また、アクセス制御モジュール１２０は、第１の端末で、コードが発行されたアイコンとは別のアイコンにあるコンテンツ（該アイコンに関連付けられたコンテンツ）を開いた場合は、コードがその親アイコンに対して有効であっても、第２の端末からその親アイコンにアクセスできないように制御するようにしてもよい。
また、アクセス制御モジュール１２０は、第１の端末で、アイコンの親となるアイコンである親アイコンを開いた場合は、コードがその親アイコンに対して有効である場合は、第２の端末からその親アイコンにアクセスできるように制御するようにしてもよい。
また、アクセス制御モジュール１２０は、第１の端末で、アイコンに、そのアイコン上にはない他のコンテンツを複写した場合は、コードがその「他の子アイコン」に対して有効である場合は、第２の端末からその「他のコンテンツ」にアクセスできるように制御するようにしてもよい。なお、コードは会合（いわゆる会議セッション）単位で発行される。
【００３６】
操作処理モジュール１２５は、共有画面に表示されているアイコン、コンテンツに対する操作を受け付け、その操作にしたがって、アイコン、コンテンツに対する処理を行う。また、その処理を行うにあたって、操作対象であるアイコン、コンテンツを処理可能なアクセス権を有しているか否かをアクセス制御モジュール１２０に問い合わせ、アクセス可能である場合に、そのアイコン、コンテンツの処理が可能であり、アクセス可能でない場合は、そのアイコン、コンテンツの処理ができない。
【００３７】
制御モジュール１３０は、電子付箋制御装置１００全体（第１の端末）、又は、第２の端末を制御する。
例えば、制御モジュール１３０は、第２の端末上で、コンテンツへのアクセスが許されていない状態であっても、その第２の端末上では、そのコンテンツの縮小画像を提示させるように制御する。
【００３８】
台紙情報記憶モジュール１３５は、制御処理モジュール１０５と接続されている。台紙情報記憶モジュール１３５は、アイコンに関する情報を記憶している。
付箋情報記憶モジュール１４０は、制御処理モジュール１０５と接続されている。付箋情報記憶モジュール１４０は、コンテンツに関する情報を記憶している。
【００３９】
共有画面提示モジュール１４５は、制御処理モジュール１０５と接続されている。共有画面提示モジュール１４５は、制御処理モジュール１０５による制御にしたがって、共有画面への提示処理を行う。
通信モジュール１５０は、制御処理モジュール１０５と接続されている。通信モジュール１５０は、通信回線を介して、第２の端末との通信を行う。例えば、第２の端末からアイコン、コンテンツへの操作を受け付け、又は、第２の端末の表示装置への提示制御に関する情報を送信する。
【００４０】
以下、アイコンとして台紙、コンテンツとして子台紙である場合の例について、以下、説明する。
電子付箋制御装置１００は、会合において用いられる台紙と付箋（電子付箋、電子カード等ともいわれる）に関する処理を行うものである。
ここで「会合」は、複数人が集まって話し合うことであればよく、例えば、会議、ワークショップ、アイデア抽出会、検討会、相談、議論、集会、ミーティング等を含む。本実施の形態の一例は、電子的な付箋と台紙を利用した電子付箋システム（電子白板等ともいわれる）にかかるものである。
電子付箋制御装置１００は、具体的には、付箋を用いて、ファシリテーター（一般的には１人）と複数人の参加者によって行われる会合で利用される。参加者は参加者用端末としての電子付箋端末２５０を用いて、アイデア等が記載された付箋を作成する。一般的に、図３の例に示すように、電子付箋端末２５０として、各参加者が所持する電子付箋端末２５０Ａ、電子付箋端末２５０Ｂ等（以下、代表して電子付箋端末２５０という）のように複数ある。そして、電子付箋制御装置１００は、電子付箋端末２５０から付箋を受け取って、台紙（又は背景）上にその付箋を貼り付ける。ファシリテーターは電子付箋制御装置１００の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００４１】
制御処理モジュール１０５は、アクセス制御処理モジュール１１０、操作処理モジュール１２５、制御モジュール１３０を有しており、台紙情報記憶モジュール１３５、付箋情報記憶モジュール１４０、共有画面提示モジュール１４５、通信モジュール１５０と接続されている。制御処理モジュール１０５は、台紙、子台紙のアクセス制御を行う。ここで子台紙とは、台紙上に他の台紙を貼り付けた場合における「他の台紙」をいう。ここでの子台紙は、台紙に貼り付けられている付箋と同等に扱われる。したがって、台紙内での移動、複写（コピー）等の操作が可能である。ただし、子台紙を開いた場合、その子台紙に対応する台紙を開く。その台紙上では、親台紙（子台紙が貼り付けられていた台紙）と同等の操作が可能である。また、子台紙に対応する台紙上には、さらに子台紙があってもよい。
【００４２】
アクセス制御処理モジュール１１０は、コード発行モジュール１１５、アクセス制御モジュール１２０を有している。アクセス制御処理モジュール１１０は、電子付箋制御装置１００が制御可能な共有画面に表示され得る台紙、子台紙のアクセス制御を行う。第１の端末は、共有画面を有しており（電子付箋制御装置１００を有していてもよい）、一般的にファシリテーターが用いる端末である。そして、第２の端末は、会合の参加者であるユーザーによって操作されるものであって、第１の端末と通信回線を介して接続されている。
【００４３】
コード発行モジュール１１５は、台紙にアクセスするためのコードを発行する。このコードは、一時的に台紙にアクセスするためのコードである。例えば、ＰＩＮ−ＣＯＤＥともいわれ、第２の端末のユーザーから、そのＰＩＮ−ＣＯＤＥを受け付けたことを条件として、台紙へのアクセスが許される。ここでの一時的とは、台紙が開かれた後、その台紙を閉じるまでの間である。
そして、コード発行モジュール１１５は、ユーザーに対してコードを提示する。具体的には、共有画面にコード発行モジュール１１５が生成したＰＩＮ−ＣＯＤＥを表示し、会合の参加者が、そのＰＩＮ−ＣＯＤＥを見て、第２の端末上で打ち込めるようにする。打ち込まれたＰＩＮ−ＣＯＤＥと提示されたＰＩＮ−ＣＯＤＥが同じである場合に、第２の端末は、台紙へのアクセスが可能となる。コード発行モジュール１１５は、ユーザーが用いる第２の端末からコードを受け付けたことを条件として、そのユーザーが用いる第２の端末に対して台紙を提示するように制御する。
また、コード発行モジュール１１５は、第１の端末で、台紙が閉じられた場合は、その台紙に対応するコードを無効とする。ここで「コードを無効とする」とは、ＰＩＮ−ＣＯＤＥを打ち込んだ第２の端末では、そのＰＩＮ−ＣＯＤＥに対応する台紙に対してアクセスすることができないようにすることである。
【００４４】
なお、コード発行モジュール１１５は、台紙とＰＩＮ−ＣＯＤＥとの関係を、例えば、台紙ＩＤ・ＰＩＮ−ＣＯＤＥ対応テーブル１１００によって管理してもよい。図１１は、台紙ＩＤ・ＰＩＮ−ＣＯＤＥ対応テーブル１１００のデータ構造例を示す説明図である。
台紙ＩＤ・ＰＩＮ−ＣＯＤＥ対応テーブル１１００は、台紙ＩＤ欄１１１０、ＰＩＮ−ＣＯＤＥ欄１１１５を有している。台紙ＩＤ欄１１１０は、台紙の台紙ＩＤを記憶している。ＰＩＮ−ＣＯＤＥ欄１１１５は、その台紙と対応するＰＩＮ−ＣＯＤＥを記憶している。
また、コード発行モジュール１１５は、ＰＩＮ−ＣＯＤＥとそのＰＩＮ−ＣＯＤＥを送信してきた電子付箋端末２５０との関係を、例えば、ＰＩＮ−ＣＯＤＥ・端末ＩＤ対応テーブル１２００によって管理してもよい。図１２は、ＰＩＮ−ＣＯＤＥ・端末ＩＤ対応テーブル１２００のデータ構造例を示す説明図である。ＰＩＮ−ＣＯＤＥ・端末ＩＤ対応テーブル１２００は、ＰＩＮ−ＣＯＤＥ欄１２１０、端末ＩＤ欄１２１５を有している。ＰＩＮ−ＣＯＤＥ欄１２１０は、ＰＩＮ−ＣＯＤＥを記憶している。端末ＩＤ欄１２１５は、本実施の形態において、端末を一意に識別するための情報（端末ＩＤ）を記憶している。この端末ＩＤは、そのＰＩＮ−ＣＯＤＥを送信してきた電子付箋端末２５０の端末ＩＤである。
また、コード発行モジュール１１５は、ＰＩＮ−ＣＯＤＥとそのＰＩＮ−ＣＯＤＥによってアクセス可能となり得る子台紙の子台紙ＩＤとの関係を、例えば、ＰＩＮ−ＣＯＤＥ・アクセス可能子台紙ＩＤ対応テーブル１３００によって管理してもよい。つまり、台紙ＩＤ・ＰＩＮ−ＣＯＤＥ対応テーブル１１００の台紙ＩＤ欄１１１０に記憶されている台紙ＩＤの台紙内にある子台紙の子台紙ＩＤとの関係を管理するものである。図１３は、ＰＩＮ−ＣＯＤＥ・アクセス可能子台紙ＩＤ対応テーブル１３００のデータ構造例を示す説明図である。ＰＩＮ−ＣＯＤＥ・アクセス可能子台紙ＩＤ対応テーブル１３００は、ＰＩＮ−ＣＯＤＥ欄１３１０、アクセス可能子台紙ＩＤ欄１３１５を有している。ＰＩＮ−ＣＯＤＥ欄１３１０は、ＰＩＮ−ＣＯＤＥを記憶している。アクセス可能子台紙ＩＤ欄１３１５は、そのＰＩＮ−ＣＯＤＥによってアクセス可能となり得る子台紙の子台紙ＩＤを記憶している。
【００４５】
アクセス制御モジュール１２０は、第１の端末上で、子台紙を格納する台紙が提示され、その子台紙が開かれた場合、第２の端末上で、その子台紙へのアクセスを可能にする制御を行う。ここで「子台紙を格納する台紙」とは、台紙上に子台紙が貼り付けられていることをいう。
なお、アクセス制御モジュール１２０は、台紙が提示された後、予め定めた時間範囲内で、子台紙が開かれた場合に、第２の端末上で、その子台紙へのアクセスを可能にするようにしてもよい。つまり、アクセスを可能にする条件として、予め定めた時間範囲内に子台紙が開かれることが必要である。
また、アクセス制御モジュール１２０は、第１の端末上で、子台紙を格納する台紙が提示され、その子台紙が開かれた場合、第２の端末上で、予め定めた時間範囲内で、その子台紙へのアクセスを可能にする制御を行う。つまり、アクセスを可能にする条件が満たされた場合、予め定めた時間範囲内でアクセスが可能になる。
【００４６】
また、アクセス制御モジュール１２０は、会合における共有画面を有している第１の端末上で、付箋と子台紙を貼り付けることができる台紙が提示され、その子台紙が開かれた場合、その会合に参加しているユーザーの第２の端末上で、その子台紙へのアクセスを可能にする制御を行う。
複数の台紙間で、木構造を形成することが可能であり、対象となっている台紙に対して、子台紙、親台紙を有する場合がある。子台紙は、対象となっている台紙に貼り付けられている。この子台紙を開くことによって、子孫方向に辿ることが可能である。また、親台紙は、対象となっている台紙から辿ることができる。例えば、ユーザーインタフェースとして、「親台紙を開く」ボタンを用意して、祖先方向に辿ることできるようにしてもよい。
【００４７】
また、アクセス制御モジュール１２０は、第１の端末上で台紙が提示されたが、子台紙が開かれていない場合、第２の端末上で、その子台紙へのアクセスを許さないように制御するようにしてもよい。
また、アクセス制御モジュール１２０は、第１の端末のユーザーの操作にしたがって、子台紙へのアクセス権を設定するようにしてもよい。この場合の設定は、台紙を提示した後に有効になる。そして、この場合の設定は、台紙を提示する前では無効である。
また、アクセス制御モジュール１２０は、第１の端末で、台紙の親となる台紙である親台紙を開いた場合は、コードがその親台紙に対して有効である場合は、第２の端末からその親台紙にアクセスできるように制御するようにしてもよい。
また、アクセス制御モジュール１２０は、第１の端末で、台紙に、その台紙上にはない他の子台紙を複写した場合は、コードがその「他の子台紙」に対して有効である場合は、第２の端末からその「他の子台紙」にアクセスできるように制御するようにしてもよい。
【００４８】
また、アクセス制御モジュール１２０は、台紙とアクセス権の内容との関係を、例えば、アクセス権テーブル１４００によって管理してもよい。図１４は、アクセス権テーブル１４００のデータ構造例を示す説明図である。アクセス権テーブル１４００は、台紙ＩＤ欄１４１０、アクセス権欄１４１５を有しており、アクセス権欄１４１５は、サムネイル画像表示欄１４２０、閲覧欄１４２５、投稿・編集欄１４３０を有している。台紙ＩＤ欄１４１０は、台紙ＩＤを記憶している。アクセス権欄１４１５は、その台紙ＩＤの台紙に付与されたアクセス権を記憶している。サムネイル画像表示欄１４２０は、その台紙のサムネイル画像表示に対してアクセス権を有するか否かの情報を記憶している。閲覧欄１４２５は、その台紙の閲覧に対してアクセス権を有するか否かの情報を記憶している。投稿・編集欄１４３０は、その台紙の投稿・編集に対してアクセス権を有するか否かの情報を記憶している。つまり、この例では、アクセス権として、サムネイル画像表示の権利、閲覧の権利、投稿・編集の権利の３つに分けている。もちろんのことながら、これら以外の権利を含めてもよいし、逆に、これらの権利を減らしてもよい。
【００４９】
操作処理モジュール１２５は、共有画面に表示されている台紙、子台紙、付箋に対する操作を受け付け、その操作にしたがって、台紙、子台紙、付箋に対する処理を行う。また、その処理（第２の端末から受け付けた操作に対応する処理）を行うにあたって、操作対象である台紙、子台紙を処理可能なアクセス権を有しているか否かをアクセス制御モジュール１２０に問い合わせ、アクセス可能である場合に、その台紙、子台紙の処理が可能であり、アクセス可能でない場合は、その台紙、子台紙の処理ができない。なお、台紙へのアクセスが可能である場合は、その台紙上に貼り付けられている付箋に対してもアクセス可能であり、編集可能である。また、台紙へのアクセスが可能でない場合は、その台紙上に貼り付けられている付箋に対してもアクセスはできず、もちろんのことながら、編集もできない。
【００５０】
制御モジュール１３０は、主にファシリテーターが用いる電子付箋制御装置１００全体（第１の端末）、又は、参加者であるユーザーが用いる第２の端末を制御する。
例えば、制御モジュール１３０は、第２の端末上で、子台紙へのアクセスが許されていない状態であっても、その第２の端末上では、その子台紙の縮小画像を提示するように制御してもよい。
【００５１】
台紙情報記憶モジュール１３５は、制御処理モジュール１０５と接続されている。台紙情報記憶モジュール１３５は、台紙に関する情報を記憶している。例えば、台紙情報テーブル９００を記憶している。
図９は、台紙情報テーブル９００のデータ構造例を示す説明図である。台紙情報テーブル９００は、台紙ＩＤ欄９１０、台紙名欄９１５、台紙パターンＩＤ欄９２０、作成日時欄９２５、作成者欄９３０、親台紙ＩＤ欄９３５、子台紙ＩＤ欄９４０、サムネイル画像欄９４５を有している。台紙ＩＤ欄９１０は、本実施の形態において、台紙を一意に識別するための情報（台紙ＩＤ）を記憶している。台紙名欄９１５は、その台紙ＩＤの台紙の名前を記憶している。台紙パターンＩＤ欄９２０は、背景となる台紙パターンＩＤを記憶している。例えば、白紙のパターン、表形式のパターン、凡例用付箋毎に付箋の貼り付け領域を有するパターン等がある。作成日時欄９２５は、その台紙の作成日時（年、月、日、時、分、秒、秒以下、又はこれらの組み合わせであってもよい）を記憶している。作成者欄９３０は、その台紙の作成者を記憶している。親台紙ＩＤ欄９３５は、その台紙に対しての親台紙の台紙ＩＤを記憶している。子台紙ＩＤ欄９４０は、その台紙が有している（その台紙に貼り付けられている）子台紙の台紙ＩＤを記憶している。サムネイル画像欄９４５は、その台紙のサムネイル画像を記憶している。例えば、その台紙上の子台紙を表示する場合は、そのサムネイル画像を用いて表示する。また、電子付箋端末２５０で、子台紙にアクセスできない場合であっても、その電子付箋端末２５０にはサムネイル画像を表示する。
【００５２】
付箋情報記憶モジュール１４０は、制御処理モジュール１０５と接続されている。付箋情報記憶モジュール１４０は、子台紙に関する情報を記憶している。例えば、付箋情報テーブル１０００を記憶している。
図１０は、付箋情報テーブル１０００のデータ構造例を示す説明図である。付箋情報テーブル１０００は、付箋ＩＤ欄１０１０、台紙ＩＤ欄１０１２、貼付位置欄１０１５、サイズ欄１０２０、作成日時欄１０２５、作成者欄１０３０、貼付日時欄１０３５、色欄１０４０、枠線形状欄１０４５、枠線色欄１０５０、枠線太さ欄１０５５、所属グループ欄１０６０、内容種別欄１０６５、内容欄１０７０を有している。付箋ＩＤ欄１０１０は、付箋を、本実施の形態において一意に識別するための情報（付箋ＩＤ）を記憶している。台紙ＩＤ欄１０１２は、台紙ＩＤを記憶している。貼付位置欄１０１５は、その付箋が貼り付けられる位置を記憶している。つまり、台紙上の貼り付け位置を記憶している。例えば、台紙のＸＹ座標系における座標である。サイズ欄１０２０は、その付箋のサイズを記憶している。例えば、表示する付箋が矩形である場合は、幅と高さを記憶している。作成日時欄１０２５は、その付箋が作成された日時を記憶している。作成者欄１０３０は、その付箋の作成者（作成者ＩＤ）を記憶している。又は、その付箋が作成された情報処理装置（電子付箋端末２５０又は電子付箋制御装置１００の機器ＩＤ）を記憶してもよい。貼付日時欄１０３５は、その付箋が台紙に貼り付けられた日時を記憶している。色欄１０４０は、その付箋の表示色を記憶している。枠線形状欄１０４５は、その付箋の表示における枠線の形状（実線、点線、破線、波線、二重線等）を記憶している。枠線色欄１０５０は、その付箋の表示における枠線の色を記憶している。枠線太さ欄１０５５は、その付箋の表示における枠線の太さを記憶している。所属グループ欄１０６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。内容種別欄１０６５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄１０７０は、その付箋に書き込まれている内容を記憶している。
なお、付箋がどの台紙に貼り付けられているかについては、付箋情報テーブル１０００の台紙ＩＤ欄１０１２を用いることによって抽出できる。
また、その台紙に貼り付けられている子台紙は、台紙情報テーブル９００の子台紙ＩＤ欄９４０を用いることによって抽出できる。
【００５３】
共有画面提示モジュール１４５は、制御処理モジュール１０５と接続されている。共有画面提示モジュール１４５は、制御処理モジュール１０５による制御にしたがって、共有画面への提示処理を行う。
通信モジュール１５０は、制御処理モジュール１０５と接続されている。通信モジュール１５０は、通信回線を介して、第２の端末との通信を行う。例えば、第２の端末から台紙、子台紙、付箋への操作を受け付け、又は、第２の端末の表示装置への提示制御に関する情報を送信する。
【００５４】
図２は、本実施の形態を利用した付箋システムの構成例を示す説明図である。電子付箋制御装置１００（第１の端末の一例）は、一般的に大画面の表示装置を備えており、ファシリテーターによって操作される。この表示装置は、参加者全員が見ることができるものである。各電子付箋端末２５０（第２の端末の一例）は、会合における参加者によって操作され、一般的には、各参加者が１台ずつ所持している。例えば、電子付箋端末２５０として、タブレット型端末等が使用される。
図２の例では、会議室２８０Ａには、電子付箋制御装置１００Ａ、電子付箋端末２５０Ａ、電子付箋端末２５０Ｂ、電子付箋端末２５０Ｃが設置されており、会合が行われる。電子付箋制御装置１００Ａ、電子付箋端末２５０Ａ、電子付箋端末２５０Ｂ、電子付箋端末２５０Ｃは、通信回線２９８を介してそれぞれ接続されている。通信回線２９８は、無線、有線、これらの組み合わせであってもよく、例えば、通信インフラとしてのインターネット、イントラネット等であってもよい。
また、会議室２８０Ｂには、電子付箋制御装置１００Ｂ、電子付箋端末２５０Ｄ、電子付箋端末２５０Ｅが設置されており、会合が行われる。電子付箋制御装置１００Ｂ、電子付箋端末２５０Ｄ、電子付箋端末２５０Ｅは、通信回線２９８を介してそれぞれ接続されている。
【００５５】
そして、台紙・付箋等情報記憶装置２９４、会議室２８０Ａ内の機器、会議室２８０Ｂ内の機器は、通信回線２９９を介してそれぞれ接続されている。また、台紙・付箋等情報記憶装置２９４による機能は、クラウドサービスとして実現してもよい。
【００５６】
台紙・付箋等情報記憶装置２９４は、付箋に関する情報を記憶している。各電子付箋制御装置１００は、台紙・付箋等情報記憶装置２９４を用いて処理を行う。この場合、台紙・付箋等情報記憶装置２９４内の付箋に関する情報を複数の電子付箋制御装置１００で共有してもよい。つまり、電子付箋制御装置１００Ａが管理している台紙と付箋に関する情報（台紙情報記憶モジュール１３５、付箋情報記憶モジュール１４０に記憶されている情報）を、電子付箋制御装置１００Ｂが利用できるようにしてもよい。特に、１つのプロジェクト内で複数の会合（例えば、会議室２８０Ａ、会議室２８０Ｂでの会合）がかかわっている場合、同じタスクに対応する付箋を他の会合における台紙に貼り付けるようにしてもよい。これによって、一方の会合において、他方の会合における同じタスクの状況を把握することができるようになる。
【００５７】
また、例えば、会合中にアドホックに、追加、変更等される資料に対し、ファシリテーターが適宜アクセス権を制御することで、ファシリテーターの意図に沿って、電子付箋端末２５０からの情報参照を制御できるようになる。
【００５８】
図３は、本実施の形態が使用される会議室等における、電子付箋端末２５０、電子付箋制御装置１００の使用例を示す説明図である。
図３（ａ）の例に示すように、会議室等内に、参加者３１１、３１２、ファシリテーター３２１が集まっている。参加者３１１は電子付箋端末２５０Ａを利用し、参加者３１２は電子付箋端末２５０Ｂを利用する。一般的に、端末装置（電子付箋端末２５０Ａ等）は参加者１人に１個付与されており、図３（ｃ）の例に示す電子付箋端末２５０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
図３（ａ）の例に示す電子付箋制御装置１００ｘは、プロジェクターであって、台紙及び付箋を表示する。また、電子付箋制御装置１００ｙは、電子白板であって、ファシリテーター３２１の指又はペン等の動きを検知して、子台紙又は付箋を台紙（表）に貼り付けること、子台紙又は付箋の移動、子台紙又は付箋の関連付け（グループ化）を行うこと等の操作を受け付けるものである。例えば、電子付箋制御装置１００ｙにペンが備えられており、そのペンが予め定められたペン置きから離れたこと（ファシリテーター３２１が操作するためにペンを持ち上げたこと）、そしてペンの先端の位置（ペン先端が電子付箋制御装置１００ｙに触れたこと等）を検知することによって、台紙、子台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、電子付箋制御装置１００ｙの表示画面全体がタッチセンサーであり、表示画面に触れられた位置、圧力を検知すればよい。本例では、ペンのオンオフはペン置きによって制御するが、必ずしもペン置きがある必要はない。ペン側で直接オンオフを制御できるようにしても構わない。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしても構わない。
また、電子付箋制御装置１００は、図３（ｂ）の例に示すような電子ボードであってもよい。電子ボードは、一般的に大画面の表示装置（少なくとも、電子付箋端末２５０の表示装置よりも大きい）を有しており、その表示装置はタッチパネルであり、表示画面に触れられた位置、圧力を検知する。例えば、画面として、８０インチ等の大きさを備えたものであってもよい。
【００５９】
図４は、本実施の形態による処理例を示す説明図である。
共有画面４００には、ツールバー領域４１０、台紙表示領域４３０を表示する。
ツールバー領域４１０には、台紙名欄４１２、台紙ＩＤ欄４１４、付箋の検索タブ４１６、グループの作成タブ４１８、付箋の作成タブ４２０、ペン色指定領域４２２、台紙管理タブ４２４、台紙作成タブ４２６を表示する。例えば、台紙名欄４１２に、この台紙の名称「ポータル」を表示し、台紙ＩＤ欄４１４に、この台紙の台紙ＩＤを表示している。なお、ＰＩＮ−ＣＯＤＥは、この台紙を表示する前に、ツールバー領域４１０に提示される。参加者は、自分の第２の端末に、そのＰＩＮ−ＣＯＤＥを打ち込み、その第２の端末と台紙とのリンクを張り、その第２の端末上で、ツールバー領域４１０と同等の表示を行う。
【００６０】
台紙表示領域４３０には、ワークショップテンプレート子台紙４３２、ワークショップ１７／４／１子台紙４３４、ワークショップ１７／５／１子台紙４３６、事前学習子台紙４３８、付箋４４０ａ、付箋４４０ｂ、付箋４４０ｃを表示している。この台紙表示領域４３０では、付箋の他に、文書又は台紙を付箋化したもの（コンテンツ、子台紙）を表示している。このようにすると、この共有画面４００上で、テンプレートや成果物の整理、準備等が可能となる。つまり、いわゆるワークショップのポータル画面のような使い方が可能となる。
台紙（台紙表示領域４３０）の中の子台紙（ワークショップテンプレート子台紙４３２、子台紙４３２ａ等）という形態になり、子台紙そのものを台紙内で移動、複写したり、他の台紙に移動、複写したり、さらに、子台紙の中身（付箋、さらなる子台紙）を台紙又は他の台紙へ移動、複写したりすることが可能となっている。台紙、子台紙間は階層構造になっている。もちろんのことながら、子台紙には、さらに、子台紙があってもよい。
ワークショップテンプレート子台紙４３２は、さらに、子台紙４３２ａ、子台紙４３２ｂ、子台紙４３２ｃ、子台紙４３２ｄ、子台紙４３２ｅ、子台紙４３２ｆ、子台紙４３２ｇ、子台紙４３２ｈを有しており、それらを表示している。
ワークショップ１７／４／１子台紙４３４は、さらに、子台紙４３４ａ、子台紙４３４ｂを有しており、それらを表示している。
ワークショップ１７／５／１子台紙４３６は、さらに、子台紙４３６ａ、付箋４３６ｂ、付箋４３６ｃ、付箋４３６ｄ、子台紙４３６ｅを有しており、それらを表示している。
事前学習子台紙４３８内には、さらに、子台紙４３８ａ、子台紙４３８ｂ、子台紙４３８ｃを有しており、それらを表示している。
【００６１】
図５は、本実施の形態による処理例を示す説明図である。
教育コースＡ台紙５００は、子台紙５０２、子台紙５０４、子台紙５０６を有しており、それらを表示している。例えば、教育コースＡ台紙５００には、種々な情報が含まれているが、その中の一部（例えば、子台紙５０６）を今回の参加者と共有する。例えば、ベースとなるポータルとしての教育コースＡ台紙５００の上にワークショップの履歴（子台紙５０２、子台紙５０４）を収集して、今回用のワークショップ用の台紙（子台紙５０６）を用意する。
図６は、本実施の形態によって処理対象となるデータ群の例を示す説明図である。
図５の例に示した教育コースＡ台紙５００と子台紙５０２、子台紙５０４、子台紙５０６の関係は、図６の例に示すような木構造となっている。
つまり、教育コースＡ台紙５００の下に（木構造における子として）、子台紙５０２、子台紙５０４、子台紙５０６がある（逆に、子台紙５０２、子台紙５０４、子台紙５０６の上に（木構造における親として）、教育コースＡ台紙５００がある）。
そして、ファシリテーターの操作にしたがって、共有画面で図５の例に示すような教育コースＡ台紙５００から今回の対象となる子台紙５０６を開く。各参加者の電子付箋端末２５０は、ＰＩＮＣＯＤＥで子台紙５０６と関連付けられる。
【００６２】
図７は、本実施の形態による処理例を示す説明図である。
図７（ａ１）の例では、共有画面７００に、台紙５０６ａを表示する。
台紙５０６ａは、子台紙５１２ａ（４Ｃ：ｃｕｓｔｏｍｅｒ  ｓｏｌｕｔｉｏｎ（顧客ソリューション）、ｃｕｓｔｏｍｅｒ  ｃｏｓｔ（顧客コスト）、ｃｏｎｖｅｎｉｅｎｃｅ（利便性）、ｃｏｍｍｕｎｉｃａｔｉｏｎ（コミュニケーション）のマーケティングの視点から評価する台紙）、子台紙５１４ａ（ＳＷＯＴ：Ｓｔｒｅｎｇｔｈｓ（強み）、Ｗｅａｋｎｅｓｓｅｓ（弱み）、Ｏｐｐｏｒｔｕｎｉｔｉｅｓ（機会）、Ｔｈｒｅａｔｓ（脅威）の４つのカテゴリーで要因分析する台紙）、子台紙５１６ａ（４Ｐ：Ｐｒｏｄｕｃｔ（製品・商品）、Ｐｒｉｃｅ（価格）、Ｐｒｏｍｏｔｉｏｎ（プロモーション）、Ｐｌａｃｅ（流通）の観点からマーケティング手法を評価する台紙）を有しており、それらを表示している。
図７（ｂ１）の例では、台紙５０６ａと関連付けられた電子付箋端末２５０におけるユーザー端末画面７５０に、台紙５０６ｂを表示する。
台紙５０６ｂは、子台紙５１２ｂ、子台紙５１４ｂ、子台紙５１６ｂを有しており、それらを表示している。つまり、図７（ａ１）の例で示した台紙５０６ａと同等の内容を表示している。しかし、共有画面７００では、子台紙５１２ａ、子台紙５１４ａ、子台紙５１６ａは、各子台紙のサムネイル画像を表示しているが、電子付箋端末２５０には未だアクセス権がないため、ユーザー端末画面７５０では、子台紙５１２ｂ、子台紙５１４ｂ、子台紙５１６ｂはサムネイル画像ではない表示をしている（具体的には、子台紙５１２ｂ等に「？」を表示している）。ただし、アクセス権がない状態ではあるが、ユーザー端末画面７５０でも、子台紙５１２ｂ、子台紙５１４ｂ、子台紙５１６ｂをサムネイル画像で表示してもよい。もちろんのことながら、この状態で、ユーザー端末画面７５０で、子台紙５１２ｂ、子台紙５１４ｂ、子台紙５１６ｂを開く操作が行われたとしても、アクセス権がないので、開くことはできない。
【００６３】
台紙５０６ａはワークショップの全体像を示しているが、共有画面７００で開く操作が行われるまでの間、ユーザー端末画面７５０では、台紙５０６ｂ内の台紙を参照できない。共有画面７００で台紙を開くと、ユーザー端末画面７５０で同じ台紙にアクセス可能となる（いわゆる同期することができる）。
具体的には、図７（ａ２）の例では、ファシリテーターの操作によって、子台紙５１４ａが開かれたとする。したがって、共有画面７００には、台紙５１４ｃ（子台紙５１４ａの内容）を表示する。
この後では、図７（ｂ２）の例に示すように、ユーザー端末画面７５０でも、ユーザーの操作によって、子台紙５１４ｂが開かれたとすると、ユーザー端末画面７５０には、台紙５１４ｄ（子台紙５１４ｂの内容、台紙５１４ｃと同じ内容）を表示する。つまり、共有画面７００で子台紙５１４ａが開かれた後であるので、電子付箋端末２５０が子台紙５１４ｂに対してアクセス可能となり、ユーザー端末画面７５０でも、子台紙５１４ｂを開くことができるようになる。この状態では、共有画面７００で台紙５１４ｃを表示したことに同期して、ユーザー端末画面７５０でも台紙５１４ｄを表示している。
【００６４】
図８は、本実施の形態による処理例を示す説明図である。
また、図７（ａ２）の例の状態から共有画面７００で台紙５１４ｃを閉じると、図８（ａ１）の例に示すように、台紙５０６ａ（ワークショップの全体像）に戻る。
この後（共有画面７００で子台紙５１４ａに対してアクセスがあった後）は、ユーザー端末画面７５０においては、図８（ｂ１）の例に示すように、サムネイル画像である子台紙５１４ｅを表示し、子台紙５１４ｅを開いて、図８（ｂ２）の例に示すように、ユーザー端末画面７５０に、台紙５１４ｄを表示することができる。
【００６５】
図１５は、本実施の形態による処理例を示すフローチャートである。例えば、ファシリテーターは、図７（ａ１）の例に示すような台紙５０６ａを使って、ワークショップの全体像（概要）を説明したいが、子台紙（子台紙５１４ａ等）の詳細内容についての参照や編集を制御したい場合に用いられる。
ステップＳ１５０２では、ファシリテーターの操作にしたがって、任意の台紙Ａを開いてＰＩＮ−ＣＯＤＥを発行する。
ステップＳ１５０４では、ＰＩＮ−ＣＯＤＥと台紙ＩＤを紐づけ（関連付け）、台紙Ａ以下のＡＣＬリストを作成する。例えば、ＡＣＬリスト（アクセス権テーブル１４００）の内容として、デフォルトをサムネイル画像表示（サムネイル画像表示欄１４２０）可能としてもよい。
【００６６】
ステップＳ１５０６では、参加者はＰＩＮ−ＣＯＤＥを入力し、台紙Ａを参照する。
ステップＳ１５０８では、参加者は台紙Ａのユーザーインタフェースを操作し、子台紙Ｂの参照を試みる。
【００６７】
ステップＳ１５１０では、ＰＩＮ−ＣＯＤＥのＡＣＬリスト判定を行い、「アクセス権あり」の場合（ステップＳ１５１０：Ｙ）はステップＳ１５１２へ進み、それ以外の場合はステップＳ１５１４へ進む。
ステップＳ１５１２では、子台紙Ｂの内容を返す。
【００６８】
ステップＳ１５１４では、エラーメッセージを返す。
ステップＳ１５１６では、ファシリテーターは台紙Ａのユーザーインタフェースを操作し、子台紙Ｂを開く。
ステップＳ１５１８では、子台紙ＢのＡＣＬリスト（投稿、編集）を更新し、ステップＳ１５０８へ戻る。
【００６９】
図１６は、本実施の形態による処理例を示すフローチャートである。例えば、ファシリテーターは、参加者にワークショップをある程度任せたい。例えば、適宜、子台紙の中身参照を許可したい場合に用いられる。
ステップＳ１６０２では、ファシリテーターは子台紙Ｂ、ＣのＡＣＬリスト（投稿）を事前に設定する。
ステップＳ１６０４では、子台紙Ｂ、ＣのＡＣＬリスト（投稿）を追加する（この時点では無効）。
【００７０】
ステップＳ１６０６では、ファシリテーターは任意の台紙Ａを開いてＰＩＮ−ＣＯＤＥを発行する。
ステップＳ１６０８では、ＰＩＮ−ＣＯＤＥと台紙ＩＤを紐づけ、台紙Ａ以下のＡＣＬリスト（デフォルト：サムネイル画像表示）を作成する。
【００７１】
ステップＳ１６１０では、子台紙Ｂ、ＣのＡＣＬリストが更新（投稿）される。
ステップＳ１６１２では、参加者はＰＩＮ−ＣＯＤＥを入力し、台紙Ａを参照する。
【００７２】
ステップＳ１６１４では、参加者は台紙Ａのユーザーインタフェースを操作し、各子台紙を参照する。
ステップＳ１６１６では、ＰＩＮ−ＣＯＤＥのＡＣＬリスト判定を行い、「アクセス権あり」の場合（ステップＳ１６１６：Ｙ）はステップＳ１６１８へ進み、それ以外の場合はステップＳ１６２０へ進む。
【００７３】
ステップＳ１６１８では、子台紙Ｂの内容を返し、ステップＳ１６１４へ戻る。
ステップＳ１６２０では、エラーメッセージを返し、ステップＳ１６１４へ戻る。
【００７４】
図１７は、本実施の形態による処理例を示すフローチャートである。例えば、ファシリテーターは、他の台紙や資料をごく一時的に今回の参加者に見せたいが、個別の参照や編集はしてほしくない場合に用いられる。
ステップＳ１７０２では、ファシリテーターは任意の台紙Ａを開いてＰＩＮ−ＣＯＤＥを発行する。
ステップＳ１７０４では、ＰＩＮ−ＣＯＤＥと台紙ＩＤを紐づけ、台紙Ａ以下のＡＣＬリスト（デフォルト：サムネイル画像表示）を作成する。
【００７５】
ステップＳ１７０６では、参加者はＰＩＮ−ＣＯＤＥを入力し、台紙Ａを参照する。
ステップＳ１７０８では、ファシリテーターは台紙Ａの親台紙、子台紙等を辿って別の台紙αを開く。
【００７６】
ステップＳ１７１０では、ＰＩＮ−ＣＯＤＥの適用範囲か否かを判断し、適用範囲の場合はステップＳ１７１２へ進み、それ以外の場合はステップＳ１７１４へ進む。
ステップＳ１７１２では、台紙αのＡＣＬリスト（投稿）を更新し、ステップＳ１７０８へ戻る。
ステップＳ１７１４では、台紙αのＡＣＬリスト（投稿）を更新しないまま、ステップＳ１７０８へ戻る。
【００７７】
図１８は、本実施の形態による処理例を示すフローチャートである。例えば、ファシリテーターは、ワークショップ中に思いついた他の台紙や資料を今回の参加者と共有したくなる場合に用いられる。
ステップＳ１８０２では、ファシリテーターは任意の台紙Ａを開いてＰＩＮ−ＣＯＤＥを発行する。
ステップＳ１８０４では、ＰＩＮ−ＣＯＤＥと台紙ＩＤを紐づけ、台紙Ａ以下のＡＣＬリスト（デフォルト：サムネイル画像表示）を作成する。
【００７８】
ステップＳ１８０６では、参加者はＰＩＮ−ＣＯＤＥを入力し、台紙Ａを参照する。
ステップＳ１８０８では、ファシリテーターは別の台紙βや文書付箋βを台紙Ａ内にコピーする。
【００７９】
ステップＳ１８１０では、ＰＩＮ−ＣＯＤＥの適用範囲か否かを判断し、適用範囲の場合はステップＳ１８１２へ進み、それ以外の場合はステップＳ１８１４へ進む。
ステップＳ１８１２では、βのＡＣＬリスト（投稿）を更新し、ステップＳ１８０８へ戻る。
ステップＳ１８１４では、βのＡＣＬリストを更新しないまま、ステップＳ１８０８へ戻る。
【００８０】
図１９は、本実施の形態によって処理対象となるデータ群の例を示す説明図である。
ファシリテーターが参照できる台紙群１９００として、ファシリテーターが参照できる台紙群１９００下の木構造を有している台紙群がある。具体的には、ルート１９３０の下層に教育コースＡ台紙１９３２、教育コースＢ台紙１９３４、教育コースＣ台紙１９３６がある。教育コースＡ台紙１９３２の下層に今回台紙１９３８、１７／４／１台紙１９４０、１７／５／１台紙１９４２がある。今回台紙１９３８の下層に４Ｐ台紙１９４４、ＳＷＯＴ台紙１９４６、プレゼン文書台紙１９４８がある。１７／４／１台紙１９４０の下層に４Ｐ（成果物）台紙１９５０、ＳＷＯＴ（成果物）台紙１９５２がある。
ファシリテーターは、今回台紙１９３８（４Ｐ台紙１９４４、ＳＷＯＴ台紙１９４６、プレゼン文書台紙１９４８を含む）を用いて、会合を行おうとしている。そのため、今回台紙１９３８に対応するＰＩＮ−ＣＯＤＥ１９１０を発行する。つまり、階層構造のあるオブジェクト（今回台紙１９３８）について一時的なＰＩＮ−ＣＯＤＥ１９１０を発行する。会合の参加者は、ＰＩＮ−ＣＯＤＥ１９１０をユーザー端末１９１５に打ち込んで、参加者が参照できる台紙群１９２０を得る。参加者が参照できる台紙群１９２０として、今回台紙１９３８、４Ｐ台紙１９４４、ＳＷＯＴ台紙１９４６、プレゼン文書台紙１９４８が含まれる。
【００８１】
ＰＩＮ−ＣＯＤＥ１９１０に対応するオブジェクト群（今回台紙１９３８、４Ｐ台紙１９４４、ＳＷＯＴ台紙１９４６、プレゼン文書台紙１９４８、それらに添付されている付箋）については、ファシリテーターが手動又は電子付箋制御装置１００の介助によりアクセス権を変更できる。例えば、図２０に示すアクセス権設定画面２０００を表示し、アクセス権設定画面２０００に対する操作によって、アクセス権が設定される。
図２０は、本実施の形態による処理例を示す説明図である。なお、図２０の例では、アクセス権として、サムネイル画像表示、閲覧、投稿又は編集、の３つを設定可能としているが、これらのうち、いずれか１つ以上を表示して、それを設定可能としてもよい。
アクセス権設定画面２０００には、アクセス権欄２０１０、台紙欄２０２０を表示する。アクセス権欄２０１０は、サムネイル画像表示欄２０１２、閲覧欄２０１４、投稿・編集欄２０１６を有している。台紙欄２０２０は、４Ｐ台紙２０２２、ＳＷＯＴ台紙２０２４、プレゼン文書台紙２０２６を有している。
アクセス権欄２０１０内の矢印２０３２、矢印２０３４、矢印２０３６は、アクセス権の変更可能な範囲を示している。例えば、４Ｐ台紙２０２２に対して、矢印２０３２によって、サムネイル画像表示欄２０１２、閲覧欄２０１４のアクセス権設定は可能であるが、投稿・編集欄２０１６のアクセス権設定はできないことを示している。そして、４Ｐ台紙２０２２に対して、○印で示すように、ファシリテーターによって閲覧欄２０１４のみが設定されていることを示している。
【００８２】
図２１は、本実施の形態による処理例を示す説明図である。
共有画面４００における子台紙の表示において、アクセス権に応じて、表示形態を変更してもよい。
例えば、サムネイル付箋に、アクセス権に応じた色枠をつけるようにしてもよい。例えば、閲覧権を設定した子台紙のサムネイル画像には青枠をつけ（例えば、子台紙２１３４ａ）、投稿・編集権を設定した子台紙には赤枠をつけ（例えば、子台紙２１３４ｂ）、アクセス権を付与していない子台紙には、枠なしでサムネイル画像の表示だけ（又はサムネイル画像はなく、黒枠線だけの表示）としてもよい（例えば、子台紙４３２ａ等）。
また、ＰＩＮ−ＣＯＤＥを発行した台紙（ワークショップ１７／４／１子台紙４３４）には、ＰＩＮ−ＣＯＤＥ発行チェック欄２１３４ｃを表示してもよい。
【００８３】
図２２は、本実施の形態による処理例を示す説明図である。
また、共有画面４００において、図２１の例に示す状態から子台紙２１３４ａを開いた場合に、図２２の例に示す台紙２２００を表示する。その場合、台紙２２００の周囲に赤枠２２１０を描画するようにしてもよい。
そして、ファシリテーターは、その場でアクセス権の修正が可能である。例えば、図２０に示したアクセス権設定画面２０００を表示し、修正するようにしてもよい。そして、一度手動で設定し直すと、その設定が有効になる。
【００８４】
なお、本実施の形態としてのプログラムが実行されるコンピュータのハードウェア構成は、図２３に例示するように、一般的なコンピュータであり、具体的にはパーソナルコンピュータ、サーバーとなり得るコンピュータ等である。つまり、具体例として、処理部（演算部）としてＣＰＵ２３０１を用い、記憶装置としてＲＡＭ２３０２、ＲＯＭ２３０３、ＨＤ２３０４を用いている。ＨＤ２３０４として、例えばハードディスク、ＳＳＤ（Ｓｏｌｉｄ  Ｓｔａｔｅ  Ｄｒｉｖｅ）を用いてもよい。制御処理モジュール１０５、アクセス制御処理モジュール１１０、コード発行モジュール１１５、アクセス制御モジュール１２０、操作処理モジュール１２５、制御モジュール１３０、共有画面提示モジュール１４５、通信モジュール１５０等のプログラムを実行するＣＰＵ２３０１と、そのプログラムやデータを記憶するＲＡＭ２３０２と、本コンピュータを起動するためのプログラム等が格納されているＲＯＭ２３０３と、台紙情報記憶モジュール１３５、付箋情報記憶モジュール１４０としての機能を有する補助記憶装置（フラッシュ・メモリ等であってもよい）であるＨＤ２３０４と、キーボード、マウス、タッチスクリーン、マイク、カメラ（視線検知カメラ等を含む）等に対する利用者の操作（動作、音声、視線等を含む）に基づいてデータを受け付ける受付装置２３０６と、ＣＲＴ、液晶ディスプレイ、スピーカー等の出力装置２３０５と、ネットワークインタフェースカード等の通信ネットワークと接続するための通信回線インタフェース２３０７、そして、それらをつないでデータのやりとりをするためのバス２３０８により構成されている。これらのコンピュータが複数台互いにネットワークによって接続されていてもよい。
【００８５】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２３に示すハードウェア構成は、１つの構成例を示すものであり、本実施の形態は、図２３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２３に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００８６】
前述の実施の形態においては、アイコンとして台紙、コンテンツとして子台紙である場合の例を説明したが、その他の例であってもよい。つまり、アイコンの例として、台紙の代わりにフォルダ、アプリケーションを示すマーク等と読み替え、コンテンツの例として、アイコンがフォルダである場合は、子台紙の代わりに、そのフォルダ内に入れることができる子フォルダ、文書のファイル等と読み替え、アイコンがアプリケーションを示すマークである場合は、子台紙の代わりに、そのアプリケーションのマークに対応するアプリケーション（ソフトウェア自体）等と読み替えればよい。
【００８７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００８８】
１００…電子付箋制御装置
１０５…制御処理モジュール
１１０…アクセス制御処理モジュール
１１５…コード発行モジュール
１２０…アクセス制御モジュール
１２５…操作処理モジュール
１３０…制御モジュール
１３５…台紙情報記憶モジュール
１４０…付箋情報記憶モジュール
１４５…共有画面提示モジュール
１５０…通信モジュール
２５０…電子付箋端末
２８０…会議室
２９４…台紙・付箋等情報記憶装置
２９９、２９８…通信回線
【図１】
2019061365.tif 000003
【図２】
2019061365.tif 000004
【図３】
2019061365.tif 000005
【図４】
2019061365.tif 000006
【図５】
2019061365.tif 000007
【図６】
2019061365.tif 000008
【図７】
2019061365.tif 000009
【図８】
2019061365.tif 000010
【図９】
2019061365.tif 000011
【図１０】
2019061365.tif 000012
【図１１】
2019061365.tif 000013
【図１２】
2019061365.tif 000014
【図１３】
2019061365.tif 000015
【図１４】
2019061365.tif 000016
【図１５】
2019061365.tif 000017
【図１６】
2019061365.tif 000018
【図１７】
2019061365.tif 000019
【図１８】
2019061365.tif 000020
【図１９】
2019061365.tif 000021
【図２０】
2019061365.tif 000022
【図２１】
2019061365.tif 000023
【図２２】
2019061365.tif 000024
【図２３】
2019061365.tif 000025